(57)【要約】【課題】映像暗号化及び暗号解除の処理方法及び装置の提供。【解決手段】本発明は、映画中で再生されるビデオ信号中に暗号を加え、映画再生時に、デコードプロセスを実行しなければ、主映画の再生ビデオ信号を観ることができないようにし、もしデコードプロセスを実行すれば、主映画の再生ビデオ信号を観られるようにする。【選択図】        図１
2004356932.tif 000002
【特許請求の範囲】
【請求項１】
映像暗号化及び暗号解除の処理方法において、
ａ）少なくとも一つの主映画（１）と少なくとも一つの副映画（２）、（３）、（４）を取るステップ、
ｂ）上述の主映画（１）と副映画（２）、（３）、（４）を再生する時、ビデオ信号を合成ビデオ信号処理ユニット（５）に同期入力してビデオ信号合成処理に供するステップ、
ｃ）上述のように主映画（１）と副映画（２）、（３）、（４）のビデオ信号を合成ビデオ信号処理ユニット（５）中に同期入力した後、合成ビデオ信号処理ユニット（５）により主映画（１）、副映画（２）、（３）、（４）のビデオ信号を合成してオーバーラップさせ、並びに合成処理過程中に、主映画（１）の各イメージフィールド中にマーク信号（６）を加入させた後、暗号化された合成映画（７）を完成するステップ、
ｄ）上述の暗号化された合成映画（７）を再生する時、映像暗号解除処理により映像の暗号解除を行ない、即ち暗号化した映画のアナログビデオ信号をアナログ・ディジタル変換器でディジタル信号に変換して出力して記憶ユニット（９）に保存するステップ、
ｅ）検出制御ユニット（１０）により記憶ユニット（９）内のデータが更新されたかを判断するステップ、
ｆ）記憶ユニット（９）内のデータを順番にディジタル・アナログ変換器に出力し、ディジタル・アナログ変換器によりディジタルデータフローをアナログビデオ信号に変換して出力し、鑑賞者に主映画を鑑賞させるステップ、
以上のステップを具えたことを特徴とする、映像暗号化及び暗号解除の処理方法。
【請求項２】
映像暗号化及び暗号解除の処理装置において、
暗号化された映像に対してエンコードを行うアナログ・ディジタル変換器とされるエンコードユニット（８）と、
デュアルポートメモリとされてエンコード後のディジタル信号を保存する記憶ユニット（９）と、
マーク信号検出とメモリ読み書き制御を行ない、記憶ユニット（９）内のデータが更新されたか否かを判断する、検出制御ユニット（１０）と、
記憶ユニット（９）の出力したディジタル映像データフローをアナログビデオ信号に変換し出力するディジタル・アナログ変換器とされるデコードユニット（１１）と、
を具えたことを特徴とする、映像暗号化及び暗号解除の処理装置。
【発明の詳細な説明】
【０００１】
【発明の属する技術分野】
本発明は映像暗号化及び暗号解除の処理方法及び装置に係り、特に、映画を暗号化し、ビデオ信号出力時に、暗号解除プロセスを行わなければ、鑑賞者の観る映像画面が、複数のビデオ信号がオーバラップした画面となるようにし、未成年がＲ指定の映画を観るのを防止できるようにする処理方法及び装置に関する。
【０００２】
【従来の技術】
周知のとおり、現在ビデオ信号はいずれもビデオテープやＣＤ媒体に保存され、鑑賞者はビデオテープ或いはＣＤ媒体を取得した後に、ただ再生装置で再生させればそれらに保存されたビデオ信号を観ることができる。
【０００３】
このようなビデオ信号を保存したビデオテープ或いはＣＤ媒体はいずれもＲ指定の有無、及びＲ指定レベルにより分類されているが、Ｒ指定の映像をその指定年齢に達していない子供が観ることによりマイナスの影響が形成されることが心配される。しかし、Ｒ指定の映画はどこででもレンタル或いは購入することができ、ゆえに実際には青少年が鑑賞するのを防止することは難しい。
【０００４】
ゆえにある映画製作業者は映画の再生ビデオ信号中にあってモザイク処理を行なっている。その原理は、画素合併処理後に全体画面の画素が比較的大きくなることを利用して、モザイクを露出が好ましくない画面内に設けるもので、画素合併処理において、シールドマスク中の全ての画素のグレーレベルを総合した後にその平均を求め、その後、シールドマスク中の各画素のグレーレベル中に書き込み、映画中で再生される重点（嫌悪感、恐怖を催す等）部分の画面を遮蔽し、未成年者が映画を取得した後に、映画中の再生の重点部分を観ることができないようにする。
【０００５】
しかし映画の再生ビデオ信号中にモザイク信号を加えて暗号化の機能を達成することはできるが、この方法を利用して映像を暗号化すると、この映像の解析度を高めることはできなくなり、色識別能力が低くなり、且つその製作コストは高くつく。さらにモザイク技術は半透明であり、映像暗号化後に鑑賞者は画面の細部構造を判別できなくなるが、その現実に再生される映像は半分見えて半分見えない状態で、完全に画面を遮蔽することはできず、青少年が映像中の影からこの映像の内容を想像することがあり、また、専門のモザイク信号解除の装置は一般に入手が容易であるためそれを購入してデコード作業を行って未加工の画像を観ることができる。ゆえに、このようなモザイク信号を利用した映像暗号化方法は、実際には青少年のＲ指定映画鑑賞を防止することが難しい。
【０００６】
【発明が解決しようとする課題】
本発明の主要な目的は、上述の従来の技術の欠点を解決し、欠点の存在を無くすことにあり、本発明は映画中で再生されるビデオ信号中に暗号を加え、映画再生時に、デコードプロセスを実行しなければ、主映画の再生ビデオ信号を観ることができないようにし、もしデコードプロセスを実行すれば、主映画の再生ビデオ信号を観られるようにする。
【０００７】
【課題を解決するための手段】
請求項１の発明は、映像暗号化及び暗号解除の処理方法において、
ａ）少なくとも一つの主映画（１）と少なくとも一つの副映画（２）、（３）、（４）を取るステップ、
ｂ）上述の主映画（１）と副映画（２）、（３）、（４）を再生する時、ビデオ信号を合成ビデオ信号処理ユニット（５）に同期入力してビデオ信号合成処理に供するステップ、
ｃ）上述のように主映画（１）と副映画（２）、（３）、（４）のビデオ信号を合成ビデオ信号処理ユニット（５）中に同期入力した後、合成ビデオ信号処理ユニット（５）により主映画（１）、副映画（２）、（３）、（４）のビデオ信号を合成してオーバーラップさせ、並びに合成処理過程中に、主映画（１）の各イメージフィールド中にマーク信号（６）を加入させた後、暗号化された合成映画（７）を完成するステップ、
ｄ）上述の暗号化された合成映画（７）を再生する時、映像暗号解除処理により映像の暗号解除を行ない、即ち暗号化した映画のアナログビデオ信号をアナログ・ディジタル変換器でディジタル信号に変換して出力して記憶ユニット（９）に保存するステップ、
ｅ）検出制御ユニット（１０）により記憶ユニット（９）内のデータが更新されたかを判断するステップ、
ｆ）記憶ユニット（９）内のデータを順番にディジタル・アナログ変換器に出力し、ディジタル・アナログ変換器によりディジタルデータフローをアナログビデオ信号に変換して出力し、鑑賞者に主映画を鑑賞させるステップ、
以上のステップを具えたことを特徴とする、映像暗号化及び暗号解除の処理方法としている。
請求項２の発明は、映像暗号化及び暗号解除の処理装置において、
暗号化された映像に対してエンコードを行うアナログ・ディジタル変換器とされるエンコードユニット（８）と、
デュアルポートメモリとされてエンコード後のディジタル信号を保存する記憶ユニット（９）と、
マーク信号検出とメモリ読み書き制御を行ない、記憶ユニット（９）内のデータが更新されたか否かを判断する、検出制御ユニット（１０）と、
記憶ユニット（９）の出力したディジタル映像データフローをアナログビデオ信号に変換し出力するディジタル・アナログ変換器とされるデコードユニット（１１）と、
を具えたことを特徴とする、映像暗号化及び暗号解除の処理装置としている。
【０００８】
【発明の実施の形態】
本発明の映像暗号化及び暗号解除の処理装置によると、少なくとも一つの主映画と少なくとも一つの副映画を取り、上述の主映画と副映画を再生する時、ビデオ信号を合成ビデオ信号処理ユニットに同期に入力してビデオ信号合成処理に供し、合成ビデオ信号処理ユニットにより主映画、副映画のビデオ信号を合成してオーバーラップさせ、並びに合成処理過程中に、主映画の各イメージフィールド中にマーク信号を加入させた後、暗号化した合成映画を完成し、上述の暗号化した合成映画を再生する時、映像暗号解除処理により映像の暗号解除を行ない、即ち暗号化した映画のアナログビデオ信号をアナログ・ディジタル変換器でディジタル信号に変換して出力して記憶ユニットに保存し、検出制御ユニットにより記憶ユニット内のデータが更新されたかを判断し、記憶ユニット内のデータを順番にディジタル・アナログ変換器に出力し、ディジタル・アナログ変換器によりディジタルデータフローをアナログビデオ信号に変換して出力し、鑑賞者に主映画を鑑賞させる。
【０００９】
【実施例】
図１は示されるのは、本発明の映像暗号化及び暗号解除の処理方法のフローチャートである。図示されるように、本発明の映像暗号化及び暗号解除の処理方法は、ビデオ信号中にマーク信号（暗号）を加える。このマーク信号に対して映画再生時にデコードプロセスを実行しなければ、鑑賞者が観るビデオ信号は複数のビデオ信号が重畳した合成ビデオ信号となり、これにより鑑賞者が主映画の再生ビデオ信号を観ることができなくなる。こうして青少年がＲ指定の映画を観るのを防止するか、或いは商業機密の盗難を防止する。
【００１０】
上述の映像暗号方法において、映画製作処理上は、まず第１ステップとして映画選択プロセスを実行し、即ち少なくとも一つの主映画（１）と少なくとも一つの副映画（２）、（３）、（４）を選択する。この主映画（１）、副映画（２）、（３）、（４）を再生する時、ビデオ信号が合成ビデオ信号処理ユニット（５）に入力される。
【００１１】
第２ステップにおいて映像合成プロセスを実行し、即ち、主映画（１）、副映画（２）、（３）、（４）のビデオ信号を同期に合成ビデオ信号処理ユニット（５）に入力し、合成ビデオ信号処理ユニット（５）により主映画（１）、副映画（２）、（３）、（４）のビデオ信号を合成して一つに重畳させ、並びに合成処理過程中に、メイン映画（１）の各イメージフィールド中にマーク信号（６）を加え、暗号化された合成映画（７）を完成する。
【００１２】
図２は図１の映像イメージフィールド暗号化処理方法表示図である。図示されるように、主映画（１）と副映画（２）、（３）、（４）に対してビデオ信号合成処理を行う時は、主映画（１）の各一つのイメージフィールド中に加えられるマーク信号（６）は、水平同期信号と垂直同期信号により位置決めされたパターンで構成され、このマーク信号（６）は映画再生時に、デコード設備を具えた再生装置（図示せず）がマーク信号（６）を読み取る時、僅かにマーク信号（６）のビデオ信号のみを読み取り、この時、再生装置（図示せず）の再生する映像画面はマーク信号（６）を含むビデオ信号とされ、複数の画像がオーバラップした映像画面とならない。もし再生装置（図示せず）にこのデコード設備がなければ、再生される映像は複数のビデオ信号がオーバラップした画面となる。
【００１３】
図３、４は本発明の映像暗号解除回路ブロック図及び映像暗号解除動作フローチャートである。図示されるように、上述の暗号化された映画が再生される時、映像暗号解除装置により映像の暗号解除動作が行われ、この映像暗号解除装置は、
暗号化された映画のアナログビデオ信号をディジタルビデオ信号に変換し出力するアナログ・ディジタル変換器とされるエンコードユニット（８）と、
デュアルポートメモリとされてエンコード後のディジタル信号を保存する記憶ユニット（９）と、
マーク信号検出とメモリ読み書き制御を行ない、記憶ユニット（９）内のデータが更新されたか否かを判断する、検出制御ユニット（１０）と、
記憶ユニット（９）の出力したディジタル映像データフローをアナログビデオ信号に変換し出力するディジタル・アナログ変換器とされるデコードユニット（１１）と、
を具えている。
【００１４】
暗号化された映画のアナログビデオ信号がアナログ・ディジタル変換器でディジタルビデオ信号に変換されて出力された後、記憶ユニット（９）に保存され、検出制御ユニット（１０）がメモリ内のデータが更新されたか否かを判断する。この判断は以下のステップによる。即ち、
ステップ１において、映像の垂直同期信号と水平同期信号によりマーク信号の位置を定位する。
ステップ２において、マーク信号位置中にあって各一つのサンプリング信号のサンプル値を比較する。
ステップ３において、サンプル値がある比較値より大きければ、内部カウンターの数値に１を加える。
ステップ４において、内部カウンターの数値がある数値より大きくなれば、メモリのデータが更新されたと判断し、内部カウンターの数値がこの数値より小さければメモリのデータが更新されていないと判断する。
【００１５】
本発明の応用中では、データ読み取りを制御せずにこのメモリデータを順番にディジタル・アナログ変換器に出力しうる。ディジタルデータフローをアナログビデオ信号に変換して出力し、鑑賞者に主映画を鑑賞させる。
【００１６】
さらに、本発明の技術は上述のＲ指定映画に運用されるほか、会社の撮影した広告或いはプロモーションビデオ等にも使用でき、ビジネスチャンスの漏洩或いは盗用を防止することができる。
【００１７】
さらに、この暗号化及び暗号解除の方法と装置はモニタ内部に取り付け可能で、有線或いは無線放送局が制限付き番組を放送する時、この暗号化及び暗号化解除の方法及び装置を運用することができる。
【００１８】
【発明の効果】
本発明は、映画中で再生されるビデオ信号中に暗号を加え、映画再生時に、デコードプロセスを実行しなければ、主映画の再生ビデオ信号を観ることができないようにし、もしデコードプロセスを実行すれば、主映画の再生ビデオ信号を観られるようにする。
【図面の簡単な説明】
【図１】本発明の映像暗号化及び暗号解除の処理方法のフローチャートである。
【図２】本発明の映像イメージフィールド暗号化処理方法表示図である。
【図３】本発明の映像暗号解除回路ブロック図である。
【図４】本発明の映像暗号解除動作フローチャートである。
【符号の説明】
１  主映画
２、３、４  副映画
５  合成ビデオ信号処理ユニット
６  マーク信号
７  暗号化された合成映画
８  エンコードユニット
９  記憶ユニット
１０  検出制御ユニット
１１  デコードユニット
【図１】
2004356932.tif 000003
【図２】
2004356932.tif 000004
【図３】
2004356932.tif 000005
【図４】
2004356932.tif 000006